(57)【要約】【課題】長尺部材が長手方向に伸縮した場合にも、長尺部材に歪みが生じないように長尺部材を固定可能な長尺部材固定構造を提供する。【解決手段】アングル部材固定部１０は、建物１の枠部材２にアングル部材４を固定するための長尺部材固定構造を有する。アングル部材固定部１０は、アングル部材４に当接し、アングル部材４を介して枠部材２に取り付けられる取付部材２０と、枠部材２と取付部材２０の間にアングル部材４を挟んだ状態で、取付部材２０を枠部材２に締結するための締結部材３０と、を備える。アングル部材４は、取付部材２０が取り付けられる被取付部５を有し、被取付部５は、締結部材３０に対して、アングル部材４の長手方向に移動可能である。【選択図】図４
2019178565.tif 000002
【特許請求の範囲】
【請求項１】
建物の枠部材に長尺部材を固定するための長尺部材固定構造であって、
前記長尺部材に当接し、前記長尺部材を介して前記枠部材に取り付けられる取付部材と、
前記枠部材と前記取付部材の間に前記長尺部材を挟んだ状態で、前記取付部材を前記枠部材に締結するための締結部材と、を備え、
前記長尺部材は、前記取付部材が取り付けられる被取付部を有し、
前記被取付部は、前記締結部材に対して、前記長尺部材の長手方向に移動可能であることを特徴とする長尺部材固定構造。
【請求項２】
前記被取付部は、
前記取付部材に当接して前記枠部材に向けて押圧される被押圧部と、
前記長尺部材の長手方向に沿って形成されたスリットと、を有し、
前記締結部材は、前記枠部材から前記スリットを貫通して前記取付部材に締結されることを特徴とする請求項１に記載の長尺部材固定構造。
【請求項３】
前記取付部材は、前記スリットの中に配される凸部を有し、
前記凸部は、前記長尺部材の長手方向と直交する短手方向の移動を規制することを特徴とする請求項２に記載の長尺部材固定構造。
【請求項４】
前記スリットは、前記長尺部材の長手方向の端部から、前記長尺部材の長手方向に沿って形成され、
前記取付部材は、前記長尺部材の長手方向の端部に近接して取り付けられることを特徴とする請求項２又は３に記載の長尺部材固定構造。
【請求項５】
前記長尺部材は、前記枠部材の角部においてそれぞれ直交して配される第１長尺部材と第２長尺部材とを含み、
前記取付部材は、
前記第１長尺部材に取り付けられる第１取付部と、
前記第２長尺部材に取り付けられる第２取付部と、
前記第１取付部と前記第２取付部を連結する連結部と、を有し、
前記締結部材は、
前記枠部材と前記第１取付部の間に前記第１長尺部材を挟んだ状態で、前記第１取付部を前記枠部材に固定するための第１締結部材と、
前記枠部材と前記第２取付部の間に前記第２長尺部材を挟んだ状態で、前記第２取付部を前記枠部材に固定するための第２締結部材と、を含み、
前記第１長尺部材は、前記第１取付部が取り付けられる第１被取付部を有し、
前記第２長尺部材は、前記第２取付部が取り付けられる第２被取付部を有し、
前記第１被取付部は、前記第１締結部材に対して、前記第１長尺部材の長手方向に移動可能であり、
前記第２被取付部は、前記第２締結部材に対して、前記第２長尺部材の長手方向に移動可能であることを特徴とする請求項１乃至４のいずれかに記載の長尺部材固定構造。
【請求項６】
前記連結部は、折り曲げ可能な折り曲げ部を有することを特徴とする請求項５に記載の長尺部材固定構造。
【請求項７】
前記取付部材と係合し、前記第１取付部と前記第２取付部を覆うカバー部材をさらに備えることを特徴とする請求項５又は６に記載の長尺部材固定構造。
【請求項８】
前記長尺部材は、窓サッシを構成するアングル部材であり、
前記枠部材は、前記アングル部材を取り付けるための板部材であることを特徴とする請求項１乃至７のいずれかに記載の長尺部材固定構造。
【発明の詳細な説明】
【技術分野】
【０００１】
本発明は、建物の枠部材に長尺部材を固定するための長尺部材固定構造に関する。
【背景技術】
【０００２】
建物の窓サッシを、サッシ本体部とアングル枠とに分けて構成したものがある。
例えば、特許文献１には、サッシ本体部とアングル枠とに分けて構成した窓サッシにおいて、アングル枠を、枠部材に対してネジを用いて固定し、さらにシール部材を設けてシール効果を向上させる構造について開示されている。
【先行技術文献】
【特許文献】
【０００３】
【特許文献１】特開２００８−１１１３０４号公報
【発明の概要】
【発明が解決しようとする課題】
【０００４】
ところで直射日光の照射や季節変動による温度変化によってアングル枠は伸縮することがある。特にアングル枠を樹脂により構成した場合には伸縮率が大きくなり、上記の従来技術のように、アングル枠が枠部材に対してネジにより強固に固定されていると、アングルの継ぎ目等に隙間が空いたり、歪みが生じたりすることがある。
【０００５】
本発明は上記の課題に鑑みてなされたものであって、その目的は、長尺部材が長手方向に伸縮した場合にも、長尺部材に歪みが生じないように長尺部材を固定可能な長尺部材固定構造を提供することにある。
【課題を解決するための手段】
【０００６】
上記課題は、本発明に係る長尺部材固定構造によれば、建物の枠部材に長尺部材を固定するための長尺部材固定構造であって、前記長尺部材に当接し、前記長尺部材を介して前記枠部材に取り付けられる取付部材と、前記枠部材と前記取付部材の間に前記長尺部材を挟んだ状態で、前記取付部材を前記枠部材に締結するための締結部材と、を備え、前記長尺部材は、前記取付部材が取り付けられる被取付部を有し、前記被取付部は、前記締結部材に対して、前記長尺部材の長手方向に移動可能であることにより解決される。
こうすることで、長尺部材が長手方向に伸縮した場合にも、長尺部材を枠部材に締結するための締結部材が長尺部材の伸縮を拘束することがない。そのため、長尺部材が長手方向に伸縮した場合にも、長尺部材に歪みが生じないように長尺部材を枠部材に固定可能となる。
【０００７】
上記の長尺部材固定構造において、前記被取付部は、前記取付部材に当接して前記枠部材に向けて押圧される被押圧部と、前記長尺部材の長手方向に沿って形成されたスリットと、を有し、前記締結部材は、前記枠部材から前記スリットを貫通して前記取付部材に締結されるとよい。
こうすることで、簡易な構成により、長尺部材の被取付部を、締結部材に対して長尺部材の長手方向に移動可能とすることができる。
【０００８】
上記の長尺部材固定構造において、前記取付部材は、前記スリットの中に配される凸部を有し、前記凸部は、前記長尺部材の長手方向と直交する短手方向の移動を規制するとよい。
こうすることで、長尺部材が短手方向に位置ずれすることを抑制できる。
【０００９】
上記の長尺部材固定構造において、前記スリットは、前記長尺部材の長手方向の端部から、前記長尺部材の長手方向に沿って形成され、前記取付部材は、前記長尺部材の長手方向の端部に近接して取り付けられるとよい。
こうすることで、長尺部材の長手方向端部に近いところで長尺部材を枠部材に対して固定することができる。これにより、長尺部材のがたつきを抑制することができる。
【００１０】
上記の長尺部材固定構造において、前記長尺部材は、前記枠部材の角部においてそれぞれ直交して配される第１長尺部材と第２長尺部材とを含み、前記取付部材は、前記第１長尺部材に取り付けられる第１取付部と、前記第２長尺部材に取り付けられる第２取付部と、前記第１取付部と前記第２取付部を連結する連結部と、を有し、前記締結部材は、前記枠部材と前記第１取付部の間に前記第１長尺部材を挟んだ状態で、前記第１取付部を前記枠部材に固定するための第１締結部材と、前記枠部材と前記第２取付部の間に前記第２長尺部材を挟んだ状態で、前記第２取付部を前記枠部材に固定するための第２締結部材と、を含み、前記第１長尺部材は、前記第１取付部が取り付けられる第１被取付部を有し、前記第２長尺部材は、前記第２取付部が取り付けられる第２被取付部を有し、前記第１被取付部は、前記第１締結部材に対して、前記第１長尺部材の長手方向に移動可能であり、前記第２被取付部は、前記第２締結部材に対して、前記第２長尺部材の長手方向に移動可能であるとよい。
こうすることで、枠部材の角部に沿うように長尺部材を設けることができる。これにより、取付部材を第１長尺部材と第２長尺部材のそれぞれの伸縮に追従させることができる。
【００１１】
上記の長尺部材固定構造において、前記連結部は、折り曲げ可能な折り曲げ部を有するとよい。
こうすることで、取付部材を枠部材の角部に沿うように配置することができる。取付部材の設置スペースをコンパクトにすることができる。
【００１２】
上記の長尺部材固定構造において、前記取付部材と係合し、前記第１取付部と前記第２取付部を覆うカバー部材をさらに備えるとよい。
こうすることで、枠部材と長尺部材の固定箇所を保護することができる。また、取付部材を隠すことにより意匠性を向上できる。
【００１３】
上記の長尺部材固定構造において、前記長尺部材は、窓サッシを構成するアングル部材であり、前記枠部材は、前記アングル部材を取り付けるための板部材であるとよい。
こうすることで、日光による熱で長尺部材が伸縮しても、長尺部材に歪みが生じることを抑制できる。これにより、窓サッシに歪みが生じることを抑制できる。
【発明の効果】
【００１４】
本発明によれば、長尺部材が長手方向に伸縮した場合にも、長尺部材に歪みが生じないように長尺部材を固定可能である。
【図面の簡単な説明】
【００１５】
【図１】建物に設置された窓サッシの正面図である。
【図２】枠部材の角部の斜視図である。
【図３】アングル部材固定部を模式的に示した図である。
【図４】アングル部材固定部においてカバー部材を取り外した状態を示す図である。
【図５】アングル部材固定部の上面図である。
【図６】アングル部材の斜視図である。
【図７】取付部材の上面図である。
【図８】伸ばした状態の取付部材の側面図である。
【図９】曲げた状態の取付部材の側面図である。
【図１０】カバー部材の正面図である。
【図１１】カバー部材の側面図である。
【発明を実施するための形態】
【００１６】
以下、図１乃至図１１を参照しながら、本発明の実施の形態（以下、本実施形態）に係る長尺部材固定構造を適用したアングル部材固定部１０について説明する。アングル部材固定部１０は、建物１の枠部材２にアングル部材４を固定するためのものである。
なお、以下に説明する実施形態は、本発明の理解を容易にするための一例に過ぎず、本発明を限定するものではない。すなわち、以下に説明する部材の形状、寸法、配置等については、本発明の趣旨を逸脱することなく、変更、改良され得るとともに、本発明にはその等価物が含まれる。
【００１７】
図１には、建物１の開口部に取り付けられた窓サッシＳを正面から見た状態を示す。図１に示されるように窓サッシＳは、枠部材２の内側に配されている。
枠部材２は、例えば窓サッシＳを設置する建物１の開口部に設けられた額縁や膳板である。具体的には、枠部材２は、窓サッシＳの周囲に配される矩形枠状に構成される板部材である。以下、矩形状の枠部材２の各々の連結箇所を角部２Ａとする。
【００１８】
図１に示されるように、枠部材２の内面（すなわち窓サッシＳ側の面）に、長尺部材としてのアングル部材４が固定される。このアングル部材４は、窓サッシＳを構成する部材である。
アングル部材４は、各辺の枠部材２に対して設けられ、アングル部材４の長手方向の端部においてそれぞれ固定される。ここで、アングル部材４を枠部材２に対して固定するための構造体をアングル部材固定部１０とする。なお、アングル部材固定部１０は、アングル部材４のそれぞれの長手方向の端部に設けられ、各アングル部材固定部１０の構成は同じであるため、本実施形態では枠部材２の左下の角部２Ａに設けられるアングル部材固定部１０について説明する。
【００１９】
以下、図２乃至図１１に基づき、アングル部材固定部１０の構成の詳細について説明する。
なお、以下において、「上下方向」とは、建物１の上下方向に相当する。例えば、窓サッシＳのガラス３は面が上下に起立した状態で建物１に取り付けられる。
「内外方向」とは建物１の内と外の方向に相当する。例えば、窓サッシＳのガラス３の法線方向が上記の「内外方向」に相当する。
「左右方向」とは、窓サッシＳのガラス３の面における水平方向に相当する。なお、以下における「左右」は、窓サッシＳのガラス３を正面から見た場合の左右に一致する。
【００２０】
図２には、枠部材２の左下の角部２Ａの斜視図を示した。図２に示されるように、建物１の開口部の内側には窓サッシＳが固定されている。窓サッシＳは、ガラス３と、ガラス３の外枠に取り付けられるサッシ本体部Ｓａと、アングル部材であるアングル部材４とを有する。
ここでアングル部材４は、サッシ本体部Ｓａとは別体に構成され、サッシ本体部Ｓａに対して建物１の内方向に配される。また、アングル部材４は、枠部材２に対して固定されている。
なお、図２及び図３において、ガラス３に対し下側において左右方向に延出するアングル部材４を、第１長尺部材としての第１アングル部材４−１とする。また、ガラス３に対し左側において上下方向に延出するアングル部材４を、第２長尺部材としての第２アングル部材４−２とする。そして、第１アングル部材４−１と第２アングル部材４−２とが対向する角部２Ａには、カバー部材４０が設けられる。なお以下において、第１アングル部材４−１と第２アングル部材４−２とに共通する内容についてはアングル部材４と称して説明する。
【００２１】
図４及び図５には、カバー部材４０を取り外した状態のアングル部材固定部１０を示した。アングル部材固定部１０は、主要な構成として、取付部材２０と、締結部材３０とを備える。
【００２２】
取付部材２０は、アングル部材４に当接して設けられ、アングル部材４を介して枠部材２に取り付けられる。すなわち、取付部材２０は、アングル部材４を枠部材２に対して取り付けるための部材である。具体的には、取付部材２０は、アングル部材４の長手方向の端部に近接して設けられる被取付部５に取り付けられる。
【００２３】
ここで、図６を参照しながら、アングル部材４の構成について説明する。
図６に示されるように、アングル部材４は、板状部４Ａと、板状部４Ａの短手方向の端部から垂直方向に延出する差込部８とを備える。すなわち、アングル部材４は、側面視において略Ｌ字形状をなしている。
そして、板状部４Ａは、長尺の板状に構成され、板状部４Ａの長手方向の端部４Ｂの付近には、取付部材２０が取り付けられる被取付部５が設けられる。
【００２４】
被取付部５においては、板状部４Ａの短手方向の中間部（例えば中央部）に、板状部４Ａの長手方向の端部４Ｂから長手方向に沿って内側に向けてスリット６が形成される。なお上記の短手方向の中央部とは、例えば板状部４Ａにおいて差込部８が接続されている箇所を除く領域における短手方向の中央である。
すなわち、スリット６の内側端部６Ａと外側端部６Ｂとは長手方向に沿っており、外側端部６Ｂは、板状部４Ａの端部４Ｂと重なっている。これによりスリット６は一方が開口した形状をなしている。
なお、以下においては、第１アングル部材４−１に形成される被取付部５を第１被取付部５−１とし、第２アングル部材４−２に形成される被取付部５を第２被取付部５−２とする。
【００２５】
また、被取付部５において、スリット６が形成されていない箇所は取付部材２０と当接し、取付部材２０から押圧される被押圧部７となる。すなわち、被取付部５において、スリット６より内側及び外側の板状部４Ａの領域が、被押圧部７となる。
【００２６】
また、差込部８は、互いに平行に設けられる第１延出部８Ａと第２延出部８Ｂとを有し、第１延出部８Ａと第２延出部８Ｂの間に部材が差し込まれることにより、差込部８の取り付けが可能となっている。
なお、本実施形態では、差込部８は第１延出部８Ａと第２延出部８Ｂの間に部材を挟む構造（所謂メス型の構造）としたが、第１延出部８Ａと第２延出部８Ｂのうちいずれかを設け、枠部材２に差し込んで係合させる構造（所謂オス型の構造）としてもよい。また、アングル部材４に対し差込部８を設けないようにしてもよい。
【００２７】
次に、図６乃至図８を参照しながら、取付部材２０の構成について説明する。
図６乃至図８に示されるように、取付部材２０は、第１取付部２１、第２取付部２２及び連結部２３を備える。取付部材２０は、例えば、樹脂や金属により構成される。そして、第１取付部２１、第２取付部２２、連結部２３はそれぞれ一体として形成される。
【００２８】
第１取付部２１は、第１アングル部材４−１の第１被取付部５−１に取り付けられる。具体的には、第１取付部２１は、貫通孔２１Ａが形成される矩形状のプレートである。そして、第１取付部２１には、貫通孔２１Ａに隣接して、第１取付部２１の裏面側に突出した凸部２５−１が形成される。
【００２９】
凸部２５−１は、第１アングル部材４−１に形成されたスリット６と対向する位置に設けられ、スリット６の内部に入り込むように設置される。なお、凸部２５−１とスリット６の壁（第１アングル部材４−１の短手方向側の壁）との間は僅かに空いており、第１取付部２１はスリット６に対して、第１アングル部材４−１の長手方向に相対的に移動可能（摺動可能）である。
一方で、凸部２５−１とスリット６の壁との隙間は僅かであるため、第１取付部２１はスリット６に対して、第１アングル部材４−１の短手方向への移動は規制される。
【００３０】
なお、第１取付部２１の貫通孔２１Ａには、ネジ等の第１締結部材３０−１が挿通され、第１被取付部５−１のスリット６を通じて、枠部材２に先端が締結される。すなわち、第１締結部材３０−１により、第１取付部２１と枠部材２との間に、第１アングル部材４−１の第１被取付部５−１が挟み込まれるようにして固定される。この際、第１締結部材３０−１を強く締結することにより、第１取付部２１が第１被取付部５−１の被押圧部７を枠部材２に向けて押圧することとなる。それにより、第１被取付部５−１が第１取付部２１と枠部材２に挟まれた状態で固定されることとなる。
【００３１】
一方で、第１締結部材３０−１は、第１アングル部材４−１のスリット６を貫通しており、第１アングル部材４−１に直接取り付けられていない。そのため、第１アングル部材４−１が熱の影響で長手方向に伸縮した場合に、第１締結部材３０−１がスリット６内での相対的に移動することが可能である。こうすることで、第１取付部２１を、第１アングル部材４−１の伸縮に追従させることが可能となる。これにより、第１アングル部材４−１が長手方向に伸縮した場合にも、第１アングル部材４−１の歪みの発生を抑制することができる。
【００３２】
第２取付部２２は、第２アングル部材４−２の第２被取付部５−２に取り付けられる。具体的には、第２取付部２２は、貫通孔２２Ａが形成される矩形状のプレートである。そして、第２取付部２２には、貫通孔２２Ａに隣接して、第２取付部２２の裏面側に突出した凸部２５−２が形成される。
【００３３】
凸部２５−２は、第２アングル部材４−２に形成されたスリット６と対向する位置に設けられ、スリット６の内部に入り込むように設置される。なお、凸部２５−２とスリット６の壁（第２アングル部材４−２の短手方向側の壁）との間は僅かに空いており、凸部２５−２はスリット６の中を、第１アングル部材４−１の長手方向について相対的に摺動可能である。
一方で、凸部２５−２とスリット６の壁との隙間は僅かであるため、第２取付部２２の凸部２５−２がスリット６の壁に当接することで、第２アングル部材４−２の短手方向への移動は規制される。
【００３４】
なお、第２取付部２２の貫通孔２２Ａには、ネジ等の第２締結部材３０−２が挿通され、第２被取付部５−２のスリット６を通じて、枠部材２に先端が固定される。すなわち、第２締結部材３０−２により、第２取付部２２と枠部材２との間に、第２アングル部材４−２の第２被取付部５−２が挟み込まれるようにして固定される。この際、第２締結部材３０−２を強く締結することにより、第２取付部２２が第２被取付部５−２の被押圧部７を枠部材２に向けて押圧することとなる。それにより、第２被取付部５−２が第２取付部２２と枠部材２に挟まれた状態で固定されることとなる。
【００３５】
一方で、第２締結部材３０−２は、第２アングル部材４−２のスリット６を貫通しており、第２アングル部材４−２に直接取り付けられていない。そのため、第２アングル部材４−２が熱により長手方向に伸縮した場合に、第２締結部材３０−２がスリット６内で相対的に移動することが可能である。こうすることで、第２取付部２２を、第２アングル部材４−２の伸縮に追従させることが可能となる。これにより、第２アングル部材４−２が長手方向に伸縮した場合にも、第２アングル部材４−２の歪みの発生を抑制することができる。
【００３６】
連結部２３は、第１取付部２１と第２取付部２２を連結する部分である。連結部２３は可撓性を有し、折り曲げ部２３Ａにおいて折り曲げ可能となっている。すなわち、取付部材２０は、第１取付部２１と第２取付部２２を連結する連結部２３の折り曲げ部２３Ａにおける折り曲げ角度が可変であるため、図８及び図９に示すように第１取付部２１と第２取付部２２との角度を多様に変えることができる。
【００３７】
そして、取付部材２０に対しては、取付部材２０と係合し、第１取付部２１と第２取付部２２を覆うカバー部材４０が取付可能となっている。
具体的には、図１０及び図１１に示すように、カバー部材４０は、第１取付部２１を覆う第１カバー部材４１と、第２取付部２２を覆う第２カバー部材４２と、第１カバー部材４１と第２カバー部材４２を直交して接続する接続部４３を有する。
そして、カバー部材４０を取付部材２０に取り付けることにより、図２及び図３に示すように、取付部材２０を隠すことができる。これにより、窓サッシＳの意匠性を向上することができる。
【００３８】
なお、図４に示されるように、アングル部材４の長手方向の端部４Ｂは、アングル部材４の長手方向において対向する枠部材２から離間して向けられている。こうすることで、アングル部材４が長手方向に伸縮した場合にも端部４Ｂが枠部材２に当接することを抑制できる。
また、アングル部材４の端部４Ｂと枠部材２との間に取付部材２０の連結部２３を配置することができるため、アングル部材固定部１０の大きさをコンパクトにすることができ、意匠性を向上できる。
【００３９】
＜まとめ＞
以上説明した本実施形態に係る長尺部材固定構造を適用したアングル部材固定部１０の主な特徴は以下の通りである。
【００４０】
［１］本実施形態に係るアングル部材固定部１０は、建物１の枠部材２にアングル部材４（長尺部材）を固定するための長尺部材固定構造を有する。アングル部材固定部１０は、アングル部材４に当接して設けられ、アングル部材４を介して枠部材２に取り付けられる取付部材２０と、枠部材２と取付部材２０の間にアングル部材４を挟んだ状態で、取付部材２０を枠部材２に締結するための締結部材３０と、を備える。アングル部材４は、取付部材２０が取り付けられる被取付部５を有し、被取付部５は、締結部材３０に対して、アングル部材４の長手方向に移動可能である。
こうすることで、アングル部材４が長手方向に伸縮した場合にも、アングル部材４を枠部材２に締結するための締結部材３０がアングル部材４の伸縮を拘束することがない。そのため、アングル部材４が長手方向に伸縮した場合にも、アングル部材４に歪みが生じないようにアングル部材４を枠部材２に固定可能となる。
【００４１】
［２］上記のアングル部材固定部１０において、被取付部５は、取付部材２０に当接して枠部材２に向けて押圧される被押圧部７と、アングル部材４の長手方向に沿って形成されたスリット６と、を有する。締結部材３０は、枠部材２からスリット６を貫通して取付部材２０に締結される。
こうすることで、簡易な構成により、アングル部材４の被取付部５を、締結部材３０に対してアングル部材４の長手方向に移動可能とすることができる。
【００４２】
［３］上記のアングル部材固定部１０において、取付部材２０は、スリット６の中に配される凸部２５を有し、凸部２５は、アングル部材４の長手方向と直交する短手方向の移動を規制する。
こうすることで、アングル部材４が短手方向に位置ずれすることを抑制できる。
【００４３】
［４］上記のアングル部材固定部１０において、スリット６は、アングル部材４の長手方向の端部４Ｂから内側に形成され、取付部材２０は、アングル部材４の長手方向の端部４Ｂに近接して取り付けられる。
こうすることで、アングル部材４の長手方向端部に近いところでアングル部材４を枠部材２に対して固定することができる。これにより、アングル部材４のがたつきを抑制することができる。
【００４４】
［５］上記のアングル部材固定部１０において、アングル部材４は、枠部材２の角部２Ａにおいてそれぞれ直交して配される第１アングル部材４−１と第２アングル部材４−２とを含む。取付部材２０は、第１アングル部材４−１に取り付けられる第１取付部２１と、第２アングル部材４−２に取り付けられる第２取付部２２と、第１取付部２１と第２取付部２２を連結する連結部２３と、を有する。締結部材３０は、枠部材２と第１取付部２１の間に第１アングル部材４−１を挟んだ状態で、第１取付部２１を枠部材２に固定するための第１締結部材３０−１と、枠部材２と第２取付部２２の間に第２アングル部材４−２を挟んだ状態で、第２取付部２２を枠部材２に固定するための第２締結部材３０−２と、を含む。第１アングル部材４−１は、第１取付部２１が取り付けられる第１被取付部５−１を有し、第２アングル部材４−２は、第２取付部２２が取り付けられる第２被取付部５−２を有する。第１被取付部５−１は、第１締結部材３０−１に対して、第１アングル部材４−１の長手方向に移動可能であり、第２被取付部５−２は、第２締結部材３０−２に対して、第２アングル部材４−２の長手方向に移動可能である。
こうすることで、枠部材２の角部２Ａに沿うようにアングル部材４を設けることができる。これにより、取付部材２０を第１アングル部材４−１と第２アングル部材４−２のそれぞれの伸縮に追従させることができる。
【００４５】
［６］上記のアングル部材固定部１０において、連結部２３は、折り曲げ可能な折り曲げ部２３Ａを有する。
こうすることで、取付部材２０を枠部材２の角部２Ａに沿うように配置することができる。取付部材２０の設置スペースをコンパクトにすることができる。
【００４６】
［７］上記のアングル部材固定部１０において、取付部材２０と係合し、第１取付部２１と第２取付部２２を覆うカバー部材４０をさらに備える。
こうすることで、枠部材２とアングル部材４の固定箇所を保護することができる。また、取付部材２０を隠すことにより意匠性を向上できる。
【００４７】
［８］上記のアングル部材固定部１０において、枠部材２は、建物１に窓サッシＳを取り付けるための板部材であり、アングル部材４は、窓サッシＳを構成するアングル部材である。
こうすることで、日光による熱でアングル部材４が伸縮しても、アングル部材４に歪みが生じることを抑制できる。これにより、窓サッシＳに歪みが生じることを抑制できる。
【００４８】
また、上記のアングル部材固定部１０において、スリット６は、アングル部材４と直交する短手方向における中間部に形成される。
こうすることで、アングル部材４の被取付部５の強度低下を抑制できる。
【００４９】
また、上記のアングル部材固定部１０において、アングル部材４は、樹脂製である。
こうすることで、アングル部材４が熱により伸縮しても、アングル部材４に歪みが生じることを抑制できる。
【００５０】
＜その他の実施形態＞
本発明は上記の実施形態に限定されるものではない。
例えば、上記の実施形態では、取付部材２０においては、第１取付部２１と第２取付部２２が連結部２３により連結されることとしたが、第１取付部２１と第２取付部２２とをそれぞれ切り離して設けてもよい。
【００５１】
また、上記の実施形態では、アングル部材４に対して被取付部５を、長手方向の端部４Ｂの近傍に設けることとしたが、被取付部５を長手方向の両端の中間領域に設けてもよい。
本発明は、窓サッシＳに限られず、建物１の伸縮する長尺部材の取り付けに適用することができる。
【符号の説明】
【００５２】
Ｓ  窓サッシ
Ｓａ  サッシ本体部
１  建物
２  枠部材
２Ａ  角部
３  ガラス
４  アングル部材
４Ａ  板状部
４Ｂ  端部
４−１  第１アングル部材
４−２  第２アングル部材
５  被取付部
５−１  第１被取付部
５−２  第２被取付部
６  スリット
６Ａ  内側端部
６Ｂ  外側端部
７  被押圧部
８  差込部
８Ａ  第１延出部
８Ｂ  第２延出部
１０  アングル部材固定部
２０  取付部材
２１  第１取付部
２１Ａ  貫通孔
２２  第２取付部
２２Ａ  貫通孔
２３  連結部
２３Ａ  折り曲げ部
２５  凸部
２５−１  凸部
２５−２  凸部
３０  締結部材
３０−１  第１締結部材
３０−２  第２締結部材
４０  カバー部材
４１  第１カバー部材
４２  第２カバー部材
４３  接続部
【図１】
2019178565.tif 000003
【図２】
2019178565.tif 000004
【図３】
2019178565.tif 000005
【図４】
2019178565.tif 000006
【図５】
2019178565.tif 000007
【図６】
2019178565.tif 000008
【図７】
2019178565.tif 000009
【図８】
2019178565.tif 000010
【図９】
2019178565.tif 000011
【図１０】
2019178565.tif 000012
【図１１】
2019178565.tif 000013